(57)【要約】【課題】  原稿を積層状態で載置可能な原稿保持トレイにおいて、原稿の幅を調節すると同時に原稿保持トレイの外形を必要最低限のサイズに変更できるようにする。【解決手段】  複合機においては、原稿供給トレイ１６ａを備えている。この原稿供給トレイ１６ａは、画像読取装置に供給するための原稿を積層状態で載置する載置部２５と、載置部２５に載置される原稿の幅方向両側に配置されるとともに、少なくとも一方が原稿の幅に合わせて移動可能な複数の原稿ガイド２６ａ，２６ｂと、を備えている。また、この原稿供給トレイ１６ａは、載置部２５から原稿の長さ方向に伸縮可能に延出する延出部２７と、各原稿ガイド２６ａ，２６ｂ同士の間隔が狭くなるにつれて延出部２７を縮め、各原稿ガイド２６ａ，２６ｂ同士の間隔が広くなるにつれて延出部２７を伸ばすリンク機構５０ａと、を備えている。【選択図】  図４
2007076842.tif 000002
【特許請求の範囲】
【請求項１】
画像読取装置に供給するための原稿を積層状態で載置する原稿載置部と、
前記原稿載置部に載置される原稿の幅方向両側に配置されるとともに、少なくとも一方が前記原稿の幅に合わせて移動可能な複数のガイド部材と、
前記原稿載置部から前記原稿の長さ方向に伸縮可能に延出する延出部と、
前記各ガイド部材同士の間隔が狭くなるにつれて前記延出部を縮め、前記各ガイド部材同士の間隔が広くなるにつれて前記延出部を伸ばす伸縮手段と、
を備えたことを特徴とする原稿保持トレイ。
【請求項２】
前記伸縮手段は、
前記移動可能なガイド部材の移動に連動して前記原稿の幅方向に移動する第１ラックと、
前記第１ラックの移動に連動して回転するピニオンギヤと、
少なくとも一部分が前記延出部に固定され、前記ピニオンギヤの回転に連動して前記原稿の長さ方向に移動する第２ラックと、を備え、
前記伸縮手段が前記第２ラックの移動に応じて前記延出部を伸縮すること
を特徴とする請求項１に記載の原稿保持トレイ。
【請求項３】
前記ピニオンギヤは、
前記第１ラックと噛合する第１ピニオンギヤと、
前記第１ピニオンギヤの回転と連動して回転し、前記第２ラックと噛合する第２ピニオンギヤと、
を備えたことを特徴とする請求項２に記載の原稿保持トレイ。
【請求項４】
前記伸縮手段は、
前記移動可能なガイド部材から突出して設けられ、このガイド部材の移動に伴って前記原稿の幅方向に移動する突出部と、
前記延出部において、前記原稿の幅方向外側から、前記原稿の幅方向内側で前記延出部延出方向に向かって形成され、前記突出部と係合する長孔と、を備え、
前記伸縮手段は前記突出部が前記長孔に沿って移動することにより前記延出部を伸縮すること
を特徴とする請求項１に記載の原稿保持トレイ。
【請求項５】
請求項１〜請求項４の何れかに記載の原稿保持トレイと、
前記原稿保持トレイの下方に配置され、前記画像読取装置による画像読取後の原稿を積層状態で載置する排紙載置部と、
前記原稿載置部に載置された原稿を、前記画像読取装置により原稿を読み取る画像読取位置を経由して前記排紙載置部まで搬送する搬送手段と、
を備えたことを特徴とする原稿搬送装置。
【請求項６】
請求項１〜請求項４の何れかに記載の原稿保持トレイと、
前記原稿保持トレイの下方に配置され、前記画像読取装置による画像読取後の原稿を積層状態で載置する排紙載置部と、
前記原稿載置部に載置された原稿を、画像読取位置を経由して前記排紙載置部まで搬送する搬送手段と、
前記画像読取位置にて前記原稿を読み取る読取手段と、
を備えたことを特徴とする画像読取装置。
【発明の詳細な説明】
【技術分野】
【０００１】
本発明は、画像読取装置に供給するための原稿を積層状態で載置可能な原稿保持トレイ、原稿搬送装置、および画像読取装置に関する。
【背景技術】
【０００２】
従来より、原稿を積層状態で載置可能な原稿保持トレイにおいて、トレイ外枠よりも内側で、原稿の幅と原稿の長さとを同時に調節できるようにしたものが知られている。（例えば特許文献１参照）。
【特許文献１】特開平８−３１９０２９号公報
【発明の開示】
【発明が解決しようとする課題】
【０００３】
しかしながら、上記原稿保持トレイにおいては、トレイ外枠を原稿の幅を変更する際に同時に伸縮することはできないので、原稿の幅に応じてトレイ全体のサイズを変更しようとすると、原稿の幅を調節した後でトレイ外枠のサイズを調節しなければならない。
【０００４】
なお、上記原稿保持トレイにおいては、トレイ外枠を最も伸ばした状態にしておけば、原稿の幅に拘わらずトレイ外枠の位置を変更することなく使用することができるが、トレイ外枠が大きいままだと、このトレイの専有面積が大きくなってしまうため、幅が狭い（つまり小さな）原稿を使用する際にも、装置全体を小型化できないという問題点があった。
【０００５】
そこで、このような問題点を鑑み、原稿を積層状態で載置可能な原稿保持トレイにおいて、原稿の幅を調節すると同時に原稿保持トレイの外形を必要最低限のサイズに変更できるようにすること本発明の目的とする。
【課題を解決するための手段】
【０００６】
かかる目的を達成するために成された請求項１に記載の原稿保持トレイは、画像読取装置に供給するための原稿を積層状態で載置する原稿載置部と、前記原稿載置部に載置される原稿の幅方向両側に配置されるとともに、少なくとも一方が前記原稿の幅に合わせて移動可能な複数のガイド部材と、前記原稿載置部から前記原稿の長さ方向に伸縮可能に延出する延出部と、前記各ガイド部材同士の間隔が狭くなるにつれて前記延出部を縮め、前記各ガイド部材同士の間隔が広くなるにつれて前記延出部を伸ばす伸縮手段と、を備えたことを特徴としている。
【０００７】
このような原稿保持トレイによれば、原稿載置部に載置された原稿のサイズが大きくなるにつれて、原稿を載置可能な面積（原稿載置部の面積と延出部の面積との和）を大きくするとともに、原稿載置部に載置された原稿のサイズが小さくなるにつれて、原稿を載置可能な面積を小さくすることができる。つまり、原稿の幅を調節すると同時に原稿保持トレイの外形を必要最低限のサイズに変更することができる。
【０００８】
また、請求項１に記載の原稿保持トレイにおいて、伸縮手段は、請求項２に記載のように、移動可能なガイド部材の移動に連動して原稿の幅方向に移動する第１ラックと、第１ラックの移動に連動して回転するピニオンギヤと、少なくとも一部分が延出部に固定され、ピニオンギヤの回転に連動して原稿の長さ方向に移動する第２ラックと、を備え、伸縮手段が第２ラックの移動に応じて延出部を伸縮することが好ましい。
【０００９】
このような原稿保持トレイによれば、ラックアンドピニオン機構を採用しているので、滑りを生じることなく原稿幅に応じて延出部を伸縮させることができる。
また、請求項２に記載の原稿保持トレイにおいて、ピニオンギヤは、請求項３に記載のように、第１ラックと噛合する第１ピニオンギヤと、第１ピニオンギヤの回転と連動して回転し、第２ラックと噛合する第２ピニオンギヤと、を備えていることが望ましい。
【００１０】
このような原稿保持トレイによれば、第１ピニオンギヤおよび第２ピニオンギヤの歯数を任意に設定することができるので、原稿の幅および長さの比率に合わせて延出部を自在に伸縮させることができる。
【００１１】
ところで、請求項１に記載の原稿保持トレイにおいて、伸縮手段は、請求項４に記載のように、移動可能なガイド部材から突出して設けられ、このガイド部材の移動に伴って前記原稿の幅方向に移動する突出部と、延出部において、原稿の幅方向外側から、原稿の幅方向内側で延出部延出方向に向かって形成され、突出部と係合する長孔と、を備え、伸縮手段は突出部が長孔に沿って移動することにより延出部を伸縮するよう構成されていてもよい。
【００１２】
即ち、本発明の原稿保持トレイによれば、ガイド部材が原稿の幅方向に移動すると、突出部は長孔に沿って延出部を伸縮させながら移動する。従って、このような原稿保持トレイによれば、伸縮手段を簡素な構成で実現することができる。
【００１３】
次に、請求項５に記載の原稿搬送装置は、請求項１〜請求項４の何れかに記載の原稿保持トレイと、原稿保持トレイの下方に配置され、画像読取装置による画像読取後の原稿を積層状態で載置する排紙載置部と、原稿載置部に載置された原稿を、画像読取装置により原稿を読み取る画像読取位置を経由して排紙載置部まで搬送する搬送手段と、を備えたことを特徴としている。
【００１４】
このような原稿搬送装置によれば、請求項１〜請求項４の何れかに記載の原稿保持トレイを備えているので、請求項１〜請求項４の何れかに記載の効果と同様の効果が得られる。
【００１５】
次に、請求項６に記載の画像読取装置は、請求項１〜請求項４の何れかに記載の原稿保持トレイと、原稿保持トレイの下方に配置され、画像読取装置による画像読取後の原稿を積層状態で載置する排紙載置部と、原稿載置部に載置された原稿を、画像読取位置を経由して排紙載置部まで搬送する搬送手段と、画像読取位置にて前記原稿を読み取る読取手段と、を備えたことを特徴としている。
【００１６】
このような画像読取装置によれば、請求項１〜請求項４の何れかに記載の原稿保持トレイを備えているので、請求項１〜請求項４の何れかに記載の効果と同様の効果が得られる。
【発明を実施するための最良の形態】
【００１７】
以下に本発明にかかる実施の形態を図面と共に説明する。
【実施例１】
【００１８】
［複合機１全体の説明］
図１は、実施形態の画像読取装置１０が組み込まれた複合機１の外観図である。
図１に示すように、この複合機１は、下側本体１ａに対して上側本体１ｂを開閉可能に取り付けてなるクラムシェル構造のものであり、上側本体１ｂに画像読取装置１０を備えている。また、上側本体１ｂの正面側には操作パネル２が設けられている。なお、複合機１は、画像読取装置１０のほかに画像形成装置（レーザプリンタ）も備えているが、本発明とは直接関係しないため説明を省略する。
【００１９】
［画像読取装置１０の説明］
図２は、画像読取装置１０の断面図である。
図２に示すように、この画像読取装置１０は、フラットベッド機構（ＦＢ）および自動給紙機構（ＡＤＦ：Ａｕｔｏｍａｔｉｃ  Ｄｏｃｕｍｅｎｔ  Ｆｅｅｄ）の双方を備えたタイプのものであり、この画像読取装置１０自体も、フラットベッド部１０ａに対してカバー部１０ｂを開閉可能に取り付けてなるクラムシェル構造となっている。
【００２０】
そして、この画像読取装置１０において、フラットベッド部１０ａには、密着型イメージセンサ（読取ヘッド）１２（本発明でいう読取手段）、第１プラテンガラス１４ａ、第２プラテンガラス１４ｂ等が設けられており、カバー部１０ｂには、原稿供給トレイ１６ａ（本発明でいう原稿保持トレイ）、原稿排出トレイ２０（本発明でいう排紙載置部）等が設けられた原稿搬送装置１８が備えられている。
【００２１】
イメージセンサ１２は、発光部（図示は省略）および受光部（光電変換素子：図示は省略）を備えており、第１プラテンガラス１４ａや第２プラテンガラス１４ｂ上に存在する原稿に対して発光部から光を照射し、原稿からの反射光を受光部により受光することにより画像を読み取るよう構成されている。
【００２２】
また、イメージセンサ１２は、図示しない駆動機構により図２における左右方向に駆動されるようになっており、自動給紙機構を用いて実際に原稿を読み取る際には、受光部が読取位置（図２参照）の真下となる位置へ移動する。
【００２３】
原稿搬送装置１８は、原稿供給トレイ１６ａに積層された原稿を一枚ずつ分離しながら給紙する給紙ローラ３２と、給紙ローラ３２へ原稿を誘い込む吸入ローラ３１と、給紙ローラ３２により給紙された原稿を搬送経路（案内部材３７ａ〜３７ｄや第１プラテンガラス１４ａにより形成された経路）に沿って搬送する搬送ローラ３３と、搬送ローラ３３により搬送された原稿を原稿排出トレイ２０に排出する排出ローラ３４とを備えている。
【００２４】
また、原稿搬送装置１８は、搬送ローラ３３に対向して配置され、この搬送ローラ３３の回転に追従して回転するフリーコロ３５，３６と、排出ローラ３４に対向して配置され、この排出ローラ３４の回転に追従して回転するフリーコロ３８を備えている。なお、吸入ローラ３１、給紙ローラ３２、搬送ローラ３３、排出ローラ３４は、本発明でいう搬送手段に相当する。
【００２５】
さらに、原稿搬送装置１８は、第１プラテンガラス１４ａに対向する位置に押圧部材４０を備えている。この押圧部材４０は、第１プラテンガラス１４ａとの間で搬送される原稿を挟持することにより、読取位置における原稿の浮き上がりを防止する。
【００２６】
［原稿供給トレイ１６ａの説明］
次に、原稿供給トレイ１６ａについて図３を用いて説明する。図３は原稿供給トレイ１６ａを斜め上方から見たときの外観図であり、図３（ａ）は原稿ガイド閉状態における外観図、図３（ｂ）は原稿ガイド開状態における外観図である。
【００２７】
図３に示すように、原稿供給トレイ１６ａは、原稿を積層状態で載置するための載置部２５（本発明でいう原稿載置部）と、この載置部２５上に配置された２つの原稿ガイド２６ａ，２６ｂ（本発明でいうガイド部材）と、下方を支持部２５ｃに支持された状態で載置部２５から原稿の長さ方向に伸縮可能に延出する延出部２７とを備えている。
【００２８】
載置部２５には、原稿ガイド２６ａ，２６ｂを移動させるための溝部２５ａ，２５ｂが原稿の幅方向にそれぞれ形成されている。また、原稿ガイド２６ａ，２６ｂは、原稿ガイド２６ａ，２６ｂの一部分が溝部２５ａ，２５ｂと係合するよう構成されており、原稿ガイド２６ａ，２６ｂは、溝部２５ａ，２５ｂに沿って原稿の搬送方向および厚み方向に対して垂直な原稿の幅方向に移動可能にされている。
【００２９】
［リンク機構５０ａの説明］
次に、原稿ガイド２６ａ，２６ｂの移動に伴って、延出部２７を伸縮するための機構であるリンク機構５０ａ（本発明でいう伸縮手段）について、図４および図５を用いて説明する。図４は原稿供給トレイ１６ａを斜め下方から見たときの外観図であり、図４（ａ）は原稿ガイド閉状態における外観図、図４（ｂ）は原稿ガイド開状態における外観図である。また、図５はリンク機構５０ａにおけるピニオンギヤ５１周辺を示す拡大図である。
【００３０】
原稿供給トレイ１６ａは、図４に示すように、左側用開閉ラック５２ａと、左側用開閉ラック５２ａに対して平行に配置された右側用開閉ラック５２ｂ（左側用開閉ラック５２ａとともに本発明でいう第１ラック）と、各開閉ラック５２ａ，５２ｂに対して垂直に配置された伸縮ラック５３（本発明でいう第２ラック）と、これらのラック５２ａ，５２ｂ，５３と噛合するピニオンギヤ５１と、を備えたリンク機構５０ａを具備している。
【００３１】
ピニオンギヤ５１は、図５に示すように、共通の回転軸５１ｃを有する第１ピニオンギヤ５１ａおよび第２ピニオンギヤ５１ｂを備えている。第１ピニオンギヤ５１ａおよび第２ピニオンギヤ５１ｂは、異なる径を有するものではあるが、互いに一体となって回転するよう構成されている。
【００３２】
次に、左側用開閉ラック５２ａは、原稿ガイド２６ａにおけるラック固定部５５ａ（図７参照）にて原稿ガイド２６ａと固定されており、右側用開閉ラック５２ｂは、原稿ガイド２６ｂにおけるラック固定部５５ｂ（図７参照）にて原稿ガイド２６ｂと固定されている。
【００３３】
そして、左側用開閉ラック５２ａおよび右側用開閉ラック５２ｂは、第１ピニオンギヤ５１ａを挟むように対向して配置され、それぞれが第１ピニオンギヤ５１ａと噛合する。
なお、左側用開閉ラック５２ａおよび右側用開閉ラック５２ｂと、第１ピニオンギヤ５１ａとは、原稿の幅方向中央から原稿ガイド２６ａまでの距離、および原稿の幅方向中央から原稿ガイド２６ｂまでの距離が等しくなるような位置で、互いに噛合するよう設定されている。このため、このような原稿ガイド２６ａ，２６ｂは、一方の原稿ガイド２６ａ，２６ｂが溝部２５ａ，２５ｂに沿って移動させられれば、他方の原稿ガイド２６ａ，２６ｂもこの移動に追従して、常に、原稿の幅方向中央から原稿ガイド２６ａまでの距離、および原稿の幅方向中央から原稿ガイド２６ｂまでの距離が等しくなるような状態で移動する。
【００３４】
即ち、このような原稿供給トレイ１６ａにおいては、図３（ａ）に示すような原稿ガイド閉状態（原稿ガイド２６ａ，２６ｂ同士の距離が近い状態：幅の狭い原稿を保持するときの状態）と、図３（ｂ）に示すような原稿ガイド開状態（原稿ガイド２６ａ，２６ｂ同士の距離が遠い状態：幅の広い原稿を保持するときの状態）とを、相互に移行することができる。
【００３５】
次に、伸縮ラック５３は、図４に示すように、延出部２７におけるラック固定部２７ｃにて延出部２７と固定されている。そして、この伸縮ラック５３は、図５に示すように、第２ピニオンギヤ５１ｂと噛合している。
【００３６】
ここで、原稿ガイド２６ａ，２６ｂが移動させられたときにおける延出部２７の動きを説明する。
図３（ａ）に示すような原稿ガイド２６ａ，２６ｂ閉状態から、図３（ｂ）に示すような原稿ガイド２６ａ，２６ｂ開状態に移行する場合には、ピニオンギヤ５１は各開閉ラック５２ａ，５２ｂの移動に伴って、図４および図５において反時計回りに回転する。このとき、第１ピニオンギヤ５１ａおよび第２ピニオンギヤ５１ｂは一体となって回転するので、第２ピニオンギヤ５１ｂの回転に伴って、伸縮ラック５３は延出部２７を載置部２５から伸ばす方向に移動する。この結果、原稿を載置するためのスペース（載置部２５の面積と延出部２７の面積との和）は大きくなる。
【００３７】
一方、図３（ｂ）に示すような原稿ガイド２６ａ，２６ｂ開状態から、図３（ａ）に示すような原稿ガイド２６ａ，２６ｂ閉状態に移行する場合には、ピニオンギヤ５１は各開閉ラック５２ａ，５２ｂの移動に伴って、図４および図５において時計回りに回転する。このとき、伸縮ラック５３は延出部２７を載置部２５側に縮める方向に移動する。この結果、原稿を載置するためのスペースは小さくなる。
【００３８】
ここで、第２ピニオンギヤ５１ｂは、第１ピニオンギヤ５１ａよりも直径が大きく設定されている。具体的には、これらのピニオンギヤ５１ａ，５１ｂのピッチ円直径の比率が、例えば、１：√２に設定されている。各ピニオンギヤ５１ａ，５１ｂの大きさの比率が上記のように設定されているのは、複合機１において頻繁に使用される原稿（定型サイズ（Ａ４，Ａ３，Ｂ４，Ｂ５等）の原稿）における縦横の長さの比率が１：√２であるからである。即ち、各開閉ラック５２ａ，５２ｂと、伸縮ラック５３との移動量の比率を原稿における縦横の長さの比率に設定することにより、延出部２７を定型サイズの原稿に合わせて伸縮させるようにしているのである。
【００３９】
［実施例１の複合機１による作用および効果の説明］
以上のように詳述した複合機１においては、原稿供給トレイ１６ａを備えている。この原稿供給トレイ１６ａは、画像読取装置（イメージセンサ１２による読取位置）に供給するための原稿を積層状態で載置する載置部２５と、載置部２５に載置される原稿の幅方向両側に配置されるとともに、少なくとも一方が原稿の幅に合わせて移動可能な複数の原稿ガイド２６ａ，２６ｂと、を備えている。また、この原稿供給トレイ１６ａは、載置部２５から原稿の長さ方向に伸縮可能に延出する延出部２７と、各原稿ガイド２６ａ，２６ｂ同士の間隔が狭くなるにつれて延出部２７を縮め、各原稿ガイド２６ａ，２６ｂ同士の間隔が広くなるにつれて延出部２７を伸ばすリンク機構５０ａと、を備えている。
【００４０】
従って、このような原稿供給トレイ１６ａによれば、載置部２５に載置された原稿のサイズが大きくなるにつれて、原稿を載置可能な面積（載置部２５の面積と延出部２７の面積との和）を大きくするとともに、載置部２５に載置された原稿のサイズが小さくなるにつれて、原稿を載置可能な面積を小さくすることができる。つまり、原稿の幅を調節すると同時に原稿供給トレイ１６ａの外形を必要最低限のサイズに変更することができる。
【００４１】
また、本実施例の原稿供給トレイ１６ａにおいて、リンク機構５０ａは、移動可能な原稿ガイド２６ａ，２６ｂの移動に連動して原稿の幅方向に移動する左側用開閉ラック５２ａおよび右側用開閉ラック５２ｂと、左側用開閉ラック５２ａおよび右側用開閉ラック５２ｂの移動に連動して回転するピニオンギヤ５１と、少なくとも一部分が延出部２７に固定され、ピニオンギヤ５１の回転に連動して原稿の長さ方向に移動する伸縮ラック５３と、を備え、リンク機構５０ａが伸縮ラック５３の移動に応じて延出部２７を伸縮させる。
【００４２】
従って、このような原稿供給トレイ１６ａによれば、ラックアンドピニオン機構を採用しているので、滑りを生じることなく原稿幅に応じて延出部２７を伸縮させることができる。
【００４３】
また、本実施例の原稿供給トレイ１６ａにおいて、ピニオンギヤ５１は、左側用開閉ラック５２ａおよび右側用開閉ラック５２ｂと噛合する第１ピニオンギヤ５１ａと、第１ピニオンギヤ５１ａの回転と連動して回転し、伸縮ラック５３と噛合する第２ピニオンギヤ５１ｂと、を備えている。
【００４４】
従って、このような原稿供給トレイ１６ａ，１６ｂによれば、第１ピニオンギヤ５１ａおよび第２ピニオンギヤ５１ｂの歯数を任意に設定することができるので、原稿の幅および長さの比率に合わせて延出部２７を自在に伸縮させることができる。
【００４５】
また、本実施例の複合機１においては、上記の原稿供給トレイ１６ａと、原稿供給トレイ１６ａの下方に配置され、イメージセンサ１２による画像読取後の原稿を積層状態で載置する原稿排出トレイ２０と、載置部２５に載置された原稿を、イメージセンサ１２により原稿を読み取る読取位置を経由して原稿排出トレイ２０まで搬送する各種ローラ３１〜３４と、読取位置にて原稿を読み取るイメージセンサ１２と、を備えている。
【００４６】
従って、このような複合機１によれば、原稿排出トレイ２０は、載置部２５の下方に配置されているが、載置部２５から延出する延出部２７は、原稿サイズに応じて上記のように伸縮するので、原稿サイズが小さい場合であっても、原稿排出トレイ２０に積層される原稿を作業者により取り易くすることができる。また、原稿サイズが大きい場合であっても、原稿が載置部２５および延出部２７からはみ出すことを防止することができるので、原稿が給入や分離がされない等の搬送ミスを防止することができる。
【実施例２】
【００４７】
次に、別形態の複合機について説明する。本実施例（実施例２）にて説明する複合機は、原稿供給トレイ１６ｂの一部分の構成が異なるのみであって、その他の構成は実施例１の原稿供給トレイ１６ａと同様の構成である。従って、本実施例（実施例２）では、実施例１の複合機１と異なる箇所のみを詳述し、実施例１の複合機１と同様の箇所については、同一の符号を付して説明を省略する。
【００４８】
［原稿供給トレイ１６ｂの説明］
本実施例の原稿供給トレイ１６ｂについて、図６および図７を用いて説明する。図６は原稿供給トレイ１６ａを斜め上方から見たときの外観図であり、図６（ａ）は原稿ガイド閉状態における外観図、図６（ｂ）は原稿ガイド開状態における外観図である。図７は原稿供給トレイ１６ａを斜め下方から見たときの外観図であり、図７（ａ）は原稿ガイド閉状態における外観図、図７（ｂ）は原稿ガイド開状態における外観図である。
【００４９】
本実施例の原稿供給トレイ１６ｂにおいては、図６に示すように、延出部２７を伸縮するためのスライド機構６０（本発明でいう伸縮手段）を備えている。
スライド機構６０は、原稿ガイド２６ａ，２６ｂから載置部２５側に突出して設けられた突出部２８ａ，２８ｂと、延出部２７に形成され、突出部２８ａ，２８ｂと係合する長孔２７ａ，２７ｂと、から構成されている。
【００５０】
延出部２７に形成された長孔２７ａ，２７ｂは、原稿ガイド２６ａ，２６ｂが移動可能な原稿の幅方向に対して傾斜して形成されている。即ち、長孔２７ａ，２７ｂは、延出部２７において、原稿の幅方向外側から、原稿の幅方向内側で載置部２５から離れる方向に向かって形成されている。
【００５１】
このようなスライド機構６０においては、原稿ガイド２６ａ，２６ｂが原稿の幅方向に移動すると、突出部２８ａ，２８ｂも原稿の幅方向に移動する。すると、延出部２７は、突出部２８ａ，２８ｂが長孔２７ａ，２７ｂに沿って移動することにより原稿の長さ方向に、より移動させられることになる。即ち、図７（ａ）に示す原稿ガイド閉状態から図７（ｂ）に示す原稿ガイド開状態に移行すると、スライド機構６０は延出部２７を伸ばし、図７（ｂ）に示す原稿ガイド開状態から図７（ａ）に示す原稿ガイド閉状態に移行すると、スライド機構６０は延出部２７を縮めるよう構成されている。
【００５２】
なお、本実施例における原稿供給トレイ１６ｂは、スライド機構６０により延出部２７を伸縮するよう構成されているので、本実施例におけるリンク機構５０ｂには、延出部２７を伸縮する機能は備えられていない。
【００５３】
即ち、本実施例におけるリンク機構５０ｂは、前述の左側用開閉ラック５２ａ、右側用開閉ラック５２ｂ、およびピニオンギヤ５４を備えており、実施例１のリンク機構５０ａに備えられていた伸縮ラック５３は備えられていない。
【００５４】
また、ピニオンギヤ５４は、左側用開閉ラック５２ａおよび右側用開閉ラック５２ｂのみと噛合するギヤ（実施例１のピニオンギヤ５１における第１ピニオンギヤ５１ａ）のみからなり、実施例１のピニオンギヤ５１のように２段構成にはされていない。
【００５５】
このようなリンク機構５０ｂにおいても、原稿ガイド２６ａ，２６ｂは、一方の原稿ガイド２６ａ，２６ｂが溝部２５ａ，２５ｂに沿って移動させられれば、他方の原稿ガイド２６ａ，２６ｂもこの移動に追従して移動する。
【００５６】
［実施例２の複合機による作用および効果の説明］
以上のように説明した実施例２の原稿供給トレイ１６ｂにおいて、スライド機構６０は、移動可能な原稿ガイド２６ａ，２６ｂから突出して設けられ、この原稿ガイド２６ａ，２６ｂの移動に伴って原稿の幅方向に移動する突出部２８ａ，２８ｂと、延出部２７において、原稿の幅方向外側から、原稿の幅方向内側で載置部２５から離れる方向に向かって形成され、突出部２８ａ，２８ｂと係合する長孔２７ａ，２７ｂと、を備えている。そして、このスライド機構６０においては、突出部２８ａ，２８ｂが長孔２７ａ，２７ｂに沿って移動することにより延出部２７を伸縮するよう構成されている。
【００５７】
即ち、本実施例の原稿供給トレイ１６ｂにおいては、原稿ガイド２６ａ，２６ｂが原稿の幅方向に移動すると、突出部２８ａ，２８ｂは長孔２７ａ，２７ｂに沿って延出部２７を伸縮させながら移動する。
【００５８】
従って、このような原稿供給トレイ１６ａ，１６ｂによれば、延出部２７を伸縮させるための機構を簡素な構成で実現することができる。
［変形例の説明］
なお、本発明の実施の形態は、上記の実施形態に何ら限定されることはなく、本発明の技術的範囲に属する限り種々の形態を採りうる。
【００５９】
例えば、上記の実施例の原稿供給トレイ１６ａ，１６ｂにおいては、原稿ガイド２６ａ，２６ｂの両方が移動可能に構成されているが、例えば、一方の原稿ガイド２６ａが原稿ガイド開状態（図３（ｂ）等参照）で固定されており、他方の原稿ガイド２６ｂのみが移動可能に構成されていてもよい。
【００６０】
この場合には、左側用開閉ラック５２ａは不要になる。
また、実施例１のリンク機構５０ａにおいて、ピニオンギヤ５１には共通の回転軸上に一体として構成された２つのピニオンギヤ５１ａ，５１ｂを有するものを使用したが、特にこれらのピニオンギヤ５１ａ，５１ｂは同軸上に配置されている必要はなく、これらのピニオンギヤ５１ａ，５１ｂが互いに噛合するよう配置されていてもよい。加えて、開閉ラック５２ａ，５２ｂと、伸縮ラック５３との移動量の比率を変更する必要がないのであれば、ピニオンギヤ５１は２段構成である必要はなく、１段構成のものであってもよい。
【００６１】
このような構成であっても、原稿ガイド２６ａ，２６ｂの移動に伴って、延出部２７を伸縮させることができる。
【図面の簡単な説明】
【００６２】
【図１】画像読取装置が組み込まれた複合機の外観図である。
【図２】画像読取装置の側断面図である。
【図３】実施例１の原稿供給トレイを斜め上方から見たときの外観図である。
【図４】実施例１の原稿供給トレイを斜め下方から見たときの外観図である。
【図５】実施例１のリンク機構におけるピニオンギヤ周辺を示す拡大図である。
【図６】実施例２の原稿供給トレイを斜め上方から見たときの外観図である。
【図７】実施例２の原稿供給トレイを斜め下方から見たときの外観図である。
【符号の説明】
【００６３】
１…複合機、１ａ…下側本体、１ｂ…上側本体、２…操作パネル、１０…画像読取装置、１０ａ…フラットベッド部、１０ｂ…カバー部、１２…イメージセンサ、１４ａ…第１プラテンガラス、１６ａ…原稿供給トレイ、１６ｂ…原稿供給トレイ、１８…原稿搬送装置、２０…原稿排出トレイ、２５…載置部、２５ａ…溝部、２５ｃ…支持部、２６ａ…原稿ガイド、２６ｂ…原稿ガイド、２７…延出部、２７ａ，２７ｂ…長孔、２７ｃ…ラック固定部、２８ａ，２８ｂ…突出部、３１…吸入ローラ、３２…給紙ローラ、３３…搬送ローラ、３４…排出ローラ、３５，３６…フリーコロ、３７ａ〜３７ｄ…案内部材、３８…フリーコロ、４０…押圧部材、５０ａ…リンク機構、５０ｂ…リンク機構、５１…ピニオンギヤ、５１ａ…ピニオンギヤ、５１ａ…第１ピニオンギヤ、５１ｂ…第２ピニオンギヤ、５１ｂ…回転軸、５２ａ…左側用開閉ラック、５２ｂ…右側用開閉ラック、５３…伸縮ラック、５４…ピニオンギヤ、５５ａ…ラック固定部、５５ｂ…ラック固定部、６０…スライド機構。
【図１】
2007076842.tif 000003
【図２】
2007076842.tif 000004
【図３】
2007076842.tif 000005
【図４】
2007076842.tif 000006
【図５】
2007076842.tif 000007
【図６】
2007076842.tif 000008
【図７】
2007076842.tif 000009